(57)【要約】【課題】  本発明は、犬の糞を処理するための犬の糞除却器具である。通常犬の  糞の除却は糞の直近まで手を直接近づけて処理するが、生理的な拒絶反応と衛生上の問題があるので、手を糞の直近まで近づけることなく、片手の握力と引きバネの力のみで、生理的な嫌悪感もなく、衛生的に犬の糞をアームによって処理理することができる犬の糞除却器具を提供する。【解決手段】  握り支持棒２に上下方向へ移動可能な下部握り板４を有し、下部握り板４に連結されているチェーン引き金具支持棒６、チェーン引き金具３、チェーン７、チェーン引き棒１０を介してアーム１５を取り付ける。アーム１５はアーム支持金具１１によって底板１２に固定され、底板１２に溶接された引きバネ支持金具１３とアーム１５側に固定された引きバネ固定金具１７間に引きバネ１４を取り付ける。上部握り板１及び下部握り板４など上部の部材は握り板支持棒固定金具５によって底板１２にとりつける。【選択図】  図６
2005080651.tif 000002
【特許請求の範囲】
【請求項１】
（イ）握り板支持棒２に上下方向へ移動可能な下部握り板４を有し、下部握り板４に連結されているチェーン引き金具支持棒６、チェーン引き金具３、チェーン７、チェーン引き棒１０を介して滑り止め用ゴム２２が先端に装着されたアーム１５を取り付ける。
（ロ）アーム１５はアーム支持金具１１によって底板１２に固定され、底板１２に溶接された引きバネ支持金具１３とアーム１５側に固定された引きバネ固定金具１７間に引きバネ１４を取り付ける。
（ハ）上部握り板１及び下部握り板４など上部の部材は握り板支持棒固定金具５によって底板１２に取り付ける。
以上のごとく構成された犬の糞除却器具。
【発明の詳細な説明】
【発明の詳細な説明】
【技術分野】
【０００１】  この発明は、散歩時などに犬が排泄する糞を直接手で触れることなく、衛生的に誰もが簡単に素早く除却することが出来るようにした小型で携帯可能な犬の糞除却器具に関するものである。
【背景技術】
【０００２】  従来、犬の糞の処置はポリ袋を引っ繰り返して内側を表にした常態でポリ袋を手袋の代わりにして糞を掴み、再度ポリ袋を引っ繰り返して糞をポリ袋に入れた状態で持ち帰るか、糞除却用紙を糞に掛けて直接手で糞除却用紙ごと糞を掴みとり処理していた。
【発明が解決しようとする課題】
【０００３】  従来の糞の処理は、ポリ袋又は糞除却用紙などを介して間接的ではあるが、糞の直近まで人の手を接近させて処理する方法であり、生理的な拒絶反応とポリ袋及び糞除却用紙の損傷等が発生した場合に衛生上の問題があった。
本発明は、以上の問題点を解決し糞を処理する場合、糞を人の手から離隔した状況で簡単に又、衛生的に処理することが出来るようになされたものである。
【課題を解決する手段】
【０００４】  底板１２にアーム支持金具１１が溶接固定され、アーム１５がアーム用ボルト９及びアーム用ナット８にて上下方向に回転自由な状況でアーム支持金具１１に保持される。
アーム１５と底板１２の間に引バネ１４を底板１２側に溶接固定された引きバネ支持金具１３と引きバネ固定金具用小ネジ１６及び引きバネ固定金具用ナット１８にてアーム１５に固定された引きバネ固定金具１７に各々引っ掛けて設ける。
上部握り板１はナット１９によって握り板支持棒２に固定される。上部握り板１と連結された握り板支持棒２は、下部握り板４の握り板支持棒用通し穴２６を通して握り板支持棒固定金具５にナット１９にて固定される。
チェーン引き金具３はチェーン引き金具支持棒６にナット１９で固定されるとともに、下部握り板４にもナット１９にて連結固定される。このチェーン引き金具支持棒６は握り板支持棒固定金具５のチェーン引き金具支持棒用通し穴２７に挿入して装着される。
アーム１５には、チェーン引き棒１０が溶接固定され、チェーン引き金具３とチェーン７においてチェーン引き金具支持棒６に連結される。アーム１５の先端には滑り止め用ゴム２２が装着される。
握り板支持棒固定金具５は底板用ボルト２０及び底板用ナット２１にて底板１２に強固に固定される。
本発明は以上のような構成より成る犬の糞除却器具である。
【発明を実施するための最良の形態】
【０００５】  以下、本発明の実施の形態を説明する。
（イ）上部の構造部材と下部の構造部材を連結結合するための底板１２に犬の糞を掴むアーム１５を支持するためのアーム支持金具１１が溶接固定され、アーム１５がアーム用ボルト９及びアーム用ナット８にて上下方向に回転自由な状況でアー厶支持金具１１に保持される。
（ロ）犬の糞を掴むためのアーム１５を開閉する引きバネ１４を底板１２に接続固定された引きバネ支持金具１３と引きバネ固定金具用小ネジ１６及び引きバネ固定金具用ナット１８にてアーム１５に固定された引きバネ固定金具１７に各々端部を引っ掛けることにより取り付ける。
（ハ）上部握り板１はナット１９によって握り板支持棒２に固定され、握り板支持棒２は下部握り板４の握り板支持棒用通し穴２６を通して上部の部材を固定するための握り板支持棒固定金具５にナット１９によって固定される。又、下部握り板４にはチェーン引き金具３をナット１９によって固定されたチェーン引き金具支持棒６が握り板支持棒固定金具５のチェーン引き金具支持棒用通し穴２７を通して装着される。
（ニ）チェーン引き棒１０が溶接固定されたアーム１５はチェーン引き金具３とチェーン７によって連結されて、下部握り板４の上下移動に連動してアーム１５が上下（開閉）運動する構造を有する。又、アーム１５の先端には糞除却用紙２３を掴んだときの滑り止めとして滑り止め用ゴム２２が装着される。
（ホ）握り板支持棒２などが固定された握り板支持棒固定金具５は、底板用ボルト２０及び底板用ナット２１によって底板１２に強固に固定される。
本発明は以上の構成より成る。
本発明を使用する場合は、糞除却用紙２３を糞２４の上に被せ本除却器具の中心を糞２４の上部に合わせる。次に、上部握り板１を手２５の甲に当て下部握り板４に握力を加えることによって握り板支持棒２に沿って、下部握り板４を上部にスライドさせる。下部握り板４にはチェーン引き金具支持棒６を介してチェーン引き金具３及び、チェーン７、チェーン引き棒１０、アーム１５が連結されているので下部握り板４が上側に移動することによって、アーム１５が開く。
アーム１５が開いた状態でアーム１５の先端部で糞除却用紙２３を掴み、手２５の握力を減ずる事によって引きバネ１４の力にてアーム１５を閉じることにより、糞除却用紙２３に糞２４を握り取る。この場合アーム１５は底板１２の端部がストッパーとなり、アーム１５と底板１２が接触する位置以上は閉じない構造となっており、糞２３を握り潰すことを防止している。
【発明の効果】
【０００６】  本発明を使用すると、犬の糞を人の手からある程度隔離した状態で簡単に処理でき、直接人体に糞が触れることが無くなるので生理的な拒絶反応もなく衛生的にも優れている。
又、本除却器具は小型軽量で持ち運びが容易であり、片手の握力のみで操作が可能なため、年齢、性別を問わず誰もが簡単に使用することが可能となる。
【図面の簡単な説明】
【図１】本発明の正面図
【図２】本発明の側面図
【図３】本発明の平面図
【図４】本発明の裏面図
【図５】本発明のアームを開いた状態の斜視図
【図６】本発明のアームを閉じた状態の斜視図
【符号の説明】
１上部握り板
２握り板支持棒
３チェーン引き金具
４下部握り板
５握り板支持棒固定金具
６チェーン引き金具支持棒
７チェーン
８アーム用ナット
９アーム用ボルト
１０チェーン引き棒
１１アーム支持金具
１２底板
１３引きバネ支持金具
１４引きバネ
１５アーム
１６引きバネ固定金具用小ネジ
１７引きバネ固定金具
１８引きバネ固定金具用ナット
１９ナット
２０底板用ボルト
２１底板用ナット
２２滑り止め用ゴム
２３糞除却用紙
２４糞
２５手
２６握り板支持棒用通し穴
２７チェーン引き金具支持棒用通し穴
【図１】
2005080651.tif 000003
【図２】
2005080651.tif 000004
【図３】
2005080651.tif 000005
【図４】
2005080651.tif 000006
【図５】
2005080651.tif 000007
【図６】
2005080651.tif 000008